(57)【要約】【課題】限られた遊技盤サイズの中で遊技領域を拡大する。【解決手段】遊技盤を含む遊技機が各種審査に合格したことを証する遊技機品質確認ラベルを遊技機前面側から目視可能な状態で取り付けることができる領域を備えた遊技盤であって、前記遊技機品質確認ラベルの表示面が遊技盤面に対し所定量の傾斜を持って配設されるようにしたものである。【選択図】図１
2007260380.tif 000002
【特許請求の範囲】
【請求項１】
遊技盤の前面側に設けられた遊技機情報識別手段の配設構造において、当該遊技機情報識別手段の表示面が前記遊技盤表面に対し所定量の傾斜を持って配設されることを特徴とする遊技機情報識別手段の配設構造。
【発明の詳細な説明】
【技術分野】
【０００１】  本発明は、遊技機情報識別手段の配設構造に関するものである。
【背景技術】
【０００２】  一般的にパチンコ機等の遊技機に設置される遊技盤はほぼ円形の遊技領域とその外側の遊技外領域に区分けされており、当該遊技領域には特別図柄表示装置をはじめ、電動役物や非電動役物などの各種入賞装置、及び遊技釘等が、当該遊技外領域には遊技盤固定具や遊技機情報識別手段としての各種ラベル等が取り付けられている。【０００３】  ところで、昨今の遊技機は大型の特別図柄表示装置や多様な演出・ゲーム性を構成するための各種部品を遊技領域の中に搭載可能とすることを目的として遊技領域を拡大する傾向にある。【０００４】  しかし、遊技機には遊技盤以外の構成部品、例えば発射装置や球通路等、を設けなければならないため、遊技盤が設置できる範囲には制約がある。更に、遊技盤固定具や各種ラベル等の配設スペースを確保する必要があり遊技領域を拡大することが困難であるという問題がある。【０００５】
【特許文献１】実開平７−４５１号公報（第１図、第３図等）
【発明の開示】
【発明が解決しようとする課題】
【０００６】  本発明はこのような事情を考慮してなされたものであり、従って本発明の目的は、限られた遊技盤サイズの中で遊技領域を拡大する手法を提供することにある。
【課題を解決するための手段】
【０００７】  上記目的を達成するために、本発明は、遊技機情報識別手段を遊技機前面側に取り付けることができる領域を有する遊技盤を備えた遊技機情報識別手段の配設構造において、当該遊技機情報識別手段の表示面が前記遊技盤表面に対し所定量の傾斜を持って配設されるようにしたものである。【０００８】  この構成では、遊技盤に対する遊技機情報識別手段の設置面積を従来に比べてコンパクトにすることが可能となるので、従来遊技外領域としていた領域の一部を遊技領域として活用することができ、より多彩な遊技性を実現することが可能になる。【０００９】  また遊技機情報識別手段の表示面は当該表示面に垂直な仮想ベクトルと遊技領域中央表面に垂直な仮想ベクトルが遊技盤の前面側で交差する向きの傾斜を有するように配設するとよい。【００１０】  こうすることで、遊技機情報識別手段の表示面を確認者にとって常に見やすい方向（遊技領域中央の方向）に向けながら容易に遊技盤に対する設置面積をコンパクトにすることができる。【００１１】  更に、遊技盤とは別体の取付ベースを遊技盤後方から遊技盤に設けた開口に挿入して前方に臨むように配設してもよい。【００１２】  こうすることで、遊技機情報識別手段の表示面が遊技盤の厚み分の奥行寸法も利用して前後方向に傾斜させて取り付けることができ、遊技盤に対する設置面積を更にコンパクトにすることができる。
【発明の効果】
【００１３】  本発明による遊技機情報識別手段の配設構造によれば、遊技盤に対する遊技機情報識別手段の設置面積を従来に比べてコンパクトにすることが可能となるので、従来遊技外領域としていた領域の一部を遊技領域として活用することができ、より多彩な遊技性を実現することが可能になる。
【発明を実施するための最良の形態】
【００１４】  以下、本発明を実施するための最良の形態を３つの実施例１，２、及び３を用いて説明する。
【実施例１】
【００１５】  本発明の実施例１を図１乃至図４に基づいて説明する。
図１は、遊技機に本発明を利用した遊技盤を搭載した状態を示す全体図である。
遊技機Ｐは本体枠１と、当該本体枠１に保持される遊技盤２と、遊技盤２に向けて遊技球を発射する発射装置３と、前記遊技盤２の前面側で透明板を保持する透明板保持枠４と、その下方で遊技球を貯留する受け皿５と発射装置３の飛び強度を遊技者によって調節可能とする操作ハンドル６と、本体枠の裏側には遊技者に賞として払出す遊技球を流下させる通路が形成された機構板（図示せず）等で構成されている。【００１６】  前記遊技盤２は、ガイドレール２１、２２によりその内側の遊技領域αと外側の遊技外領域βに区画形成されている。【００１７】  前記遊技領域αには特別図柄表示装置７１、図柄始動用の普通電動役物（所謂始動入賞装置）７２、特別電動役物（所謂大入賞装置）７３、風車７４、飾りランプ７５、通過ゲート７６などの盤面部品や遊技釘が配置されている。【００１８】  一方前記遊技外領域βには飾り部材８１、遊技盤固定具８２、機種別仕様情報ラベル８３、遊技機品質確認ラベル（遊技機情報識別手段）８４等が設けられている。【００１９】  遊技盤２の右側上下隅部には当該遊技盤２を前記本体枠１に固定するための遊技盤固定具８２が設けられている。当該遊技盤固定具８２は遊技盤２の左側端部に設けられた係合突起８５と協同して遊技盤２を所定の位置に保持するように設けられている。【００２０】  遊技盤２の右上部には当該遊技機の遊技仕様の詳細（例えば、通常時及び確率変動時の大当たり確率、入賞に対する払出賞球数の種別等）が記載された機種別仕様情報ラベル８３が遊技機前面側から目視可能な状態で添付されている。【００２１】  遊技盤２の右下部には遊技機が各種条件に適合したことを証する遊技機品質確認ラベル８４が取付位置を特定するガイド部８４２によって位置決め規制され遊技機前面側に貼付されている。【００２２】  遊技機品質確認ラベル８４には例えば次のような種類のものがある。
図４（ａ）に示すものは遊技機検定済証票（ＡＭマーク）と呼ばれ、当該遊技機が型式検定に合格した機種であることを示すために発行されるものである。実際には遊技場に新規又は入れ替えにより新たに遊技機が設置されるときに交付され貼付される。
同図（ｂ）に示すものは日本遊技機工業組合之証と呼ばれ、パチンコ遊技機メーカーで構成される日本遊技機工業組合の組合員である証として発行されるものでパチンコ遊技機メーカーが遊技場に出荷されるときに交付され貼付される。
当該ラベルは全国共通の形状及び大きさに定められており、勝手に発行することはできない仕組みになっている。【００２３】  前記遊技機品質確認ラベル８４は遊技盤２上に設けた取付ベース８４１表面に貼付することで遊技機前面側から透明板保持枠の中央開口部４１を通じて目視可能な状態を確保している。【００２４】  図３に示すように、当該取付ベース８４１は、当該表示面に垂直な仮想ベクトルＸと遊技領域中央表面に垂直な仮想ベクトルＹが遊技盤２の前面側で交差する向きの傾斜を有するように配設されている。言い換えれば、遊技機品質確認ラベル８４表示面が上向きに傾斜するように配設されている。【００２５】  このように、本実施例１では遊技機品質確認ラベル８４が傾斜するように配設されているので、遊技盤に対する設置面積をコンパクトにすることができる。
また、上記のように表示面を遊技領域側（例えば図３では上向き）に傾斜しているので確認者が当該ラベルを容易に確認することができる。
【実施例２】
【００２６】  図５、図６に基づき別の実施の形態について説明する。【００２７】  本実施例では本体枠１に対し遊技盤２を後方側から設置するように構成されている。そして遊技盤２をその裏側から周知の方法により前方に押圧することで遊技盤２の前側を基準に本体枠１に対し固定することを実現している。【００２８】  本体枠１はガイドレール２２の一部を一体的に形成しており、遊技盤２が後方から取り付けられた状態において前後方向に当接して取付位置が規制されるようになっている。またガイドレール２２の下方（遊技外領域β）には切欠き部２３が一体的に設けられている。【００２９】  一方遊技盤２の右下方で前記切欠き部２３に対応する位置には開口部２４が設けられており、前記取付ベース８４１が当該開口部２４に対し遊技盤２の背面側から挿入される。【００３０】  本体枠１に遊技盤２が設置されると、前記切欠き部２３と前記開口部２４が連通し遊技盤２の背面側に設けられた取付ベース８４１が本体枠１の前記切欠き部２３を通して前方に臨むように配置されることとなる。そしてその表面に貼付された遊技機品質確認ラベル８４は確認者から見て所定の角度だけ傾斜して配設されている。その他の構成は実施例１と同じであるため説明を省略する。【００３１】  このように本実施例２では遊技盤２の背面側に設けられた取付ベース８４１が本体枠１の前記切欠き部２３を通して前方に臨み確認者から見て所定の角度だけ傾斜して配設されているので、遊技機情報識別手段８４１の表示面が遊技盤２の厚み分の奥行寸法も利用して前後方向に傾斜させて取り付けることができ、遊技盤２に対する設置面積を更にコンパクトにすることができる。
【実施例３】
【００３２】  図７、図８に基づき別の形態について説明する。【００３３】  遊技盤２を前方から取り付ける構成においては、当該遊技盤２を本体枠１に収納した後、遊技盤固定具８２を前方から操作し、本体枠１に対し所定の位置に固定するようになっている。【００３４】  本実施例では、遊技機品質確認ラベル８４の背後に遊技盤固定具８２を収容するように構成している。【００３５】  こうすることで、遊技盤固定具８２の設置領域を遊技機品質確認ラベル８４の設置領域と兼用することができ、遊技外領域を効率的に利用することができるようになる。【００３６】  本実施例では、遊技盤２が取り外しできる状態（固定具８２が解除状態）にあるとき、取付ベース８４１の傾斜面が前記固定具８２と干渉して、取付ベース８４１が所定の位置に配設できないようになっている。こうすることで、遊技盤２の固定作業の忘れを防止することができる。（図８）【００３７】  また、取付ベース８４１は飾り部材に対し着脱可能に取り付けるようになっている。具体的には、取付ベース８４１の一端に飾り部材８１の係合部８５１と係合する被係合部８５２を、他端にねじで飾り部材を共締めするための取付片部８５３を有している。そして被係合部８５２を係合部８５１と係合させた状態で取付片部８５３をねじで飾り部材８１に固着することで所定の位置に固定することになる。【００３８】  以上説明した実施例１，２及び３では、各種条件に適合したことを証する遊技機品質確認ラベルを傾斜させるようにしたが、それ以外の各種遊技機情報、例えば機種別仕様情報ラベルや遊技盤固有の番号を示した遊技盤番号識別ラベルなどを傾斜させて配設するようにしてもよい。【００３９】  また、上記各実施例１，２及び３では配設場所を右側下部としたが、遊技外領域であればどこでもよく、例えば左右上部の領域を利用してもよい。この場合は、表示面を下向きにして配設するとよい。【００４０】  また、上記各実施例１，２及び３では当該表示面に垂直な仮想ベクトルと遊技領域中央表面に垂直な仮想ベクトルが遊技盤の前面側で交差する向きの傾斜、特に上下方向への傾斜を有するように配設しているが、左右方向に向けて傾斜を有するように設けてもよいし、それ以外の向き、例えば前記両仮想ベクトルが遊技盤の後ろ面側で交差する向きに傾斜させるように配設してもよい。【００４１】  また、上記各実施例１，２では遊技盤とは別体の取付ベースを用いたが、例えば遊技盤自体の表面の一部を斜めに加工して、その表面に直接遊技機情報識別手段を設置できるようにしてもよい。【００４２】  また、上記各実施例１，２及び３では透明板保持枠の中央開口部４１から臨むように構成したが、透明板保持枠が遊技機情報識別手段を確認するための確認窓を別途設けるようにしてもよいし、透明板保持枠を閉鎖した状態では目視できなくても、開放すれば容易に遊技機情報識別手段を確認することができる位置に設けることができればそれでもよい。【００４３】  また、上記各実施例１，２及び３では取付ベースを飾り部材と一体で設けたり、別体に設けてねじによって固定するようにしているが、例えば、樹脂弾性を使って着脱を自在にできるようにしたり、回動や摺動機構を設けて、取付ベースが飾り部材等に保持された状態を維持しながら固定具前面を開放させることができるようにしてもよい。【００４４】  また、上記各実施例１，２及び３では遊技盤を前側から取り付ける場合（実施例１及び実施例３）と後ろ側から取り付ける場合（実施例２）に分けて説明したが、実施例１の構成において遊技盤を後ろ側から取り付けるなど適宜変更してもよい。その他本発明の主旨を逸脱しない範囲で適宜変更できるものであり、本実施の形態に限定されるものではない。【００４５】  また本発明は一般のパチンコ機に限定されず、例えばアレンジボール遊技機など、種々の遊技機に適用することができる。
【図面の簡単な説明】
【００４６】
【図１】本発明の一実施例における遊技機の正面図である。
【図２】実施例１の遊技機品質確認ラベル表示部の要部正面図である。
【図３】実施例１の遊技機品質確認ラベル表示部の要部断面図であり、図２におけるＡ−Ａ断面図である。
【図４】（ａ）は遊技機品質確認ラベルの例１、（ｂ）は遊技機品質確認ラベルの例２である。
【図５】実施例２の遊技機品質確認ラベル表示部の要部正面図である。
【図６】実施例２の遊技機品質確認ラベル表示部の要部断面図であり、図５におけるＢ−Ｂ断面図である。
【図７】実施例３の遊技機品質確認ラベル表示部の要部正面図である。
【図８】（ａ）は実施例３の遊技盤固定具が固定状態にあるときの要部断面図であり、図７におけるＣ−Ｃ断面図、（ｂ）は実施例３の遊技盤固定具が解除状態にあるときの要部断面図である。
【図９】従来の遊技機情報識別手段の取付状態を示す正面図である。
【符号の説明】
【００４７】  １    本体枠
２    遊技盤
α  遊技領域
β  遊技外領域
２１、２２  ガイドレール
２３  切欠き部
２４  開口部
４１  中央開口部
８１  飾り部材
８２  遊技盤固定具
８３  機種別仕様情報ラベル
８４  遊技機品質確認ラベル（遊技機情報識別手段）
８４１  取付ベース
８４２  ガイド部
８５  係合突起
８５１  係合部
８５２  被係合部
８５３  取付片部
【図１】
2007260380.tif 000003
【図２】
2007260380.tif 000004
【図３】
2007260380.tif 000005
【図４】
2007260380.tif 000006
【図５】
2007260380.tif 000007
【図６】
2007260380.tif 000008
【図７】
2007260380.tif 000009
【図８】
2007260380.tif 000010
【図９】
2007260380.tif 000011